【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
ワークピースを焼入れする噴射焼入れシステムであり、該噴射焼入れシステムが、
一個以上の焼入れリングへの冷却剤の供給を備え、前記一個以上の焼入れリングのそれぞれが、
外側リング要素であって、該外側リング要素の内側領域への前記冷却剤の前記供給との接続のための少なくとも一個の外側開口部を有する外側リング要素と、
少なくとも部分的に前記外側リング要素内へ挿入された内側リング要素と、
前記内側リング要素の内側領域とともに、前記外側リング要素の前記内側領域から形成されて、前記少なくとも一個の外側開口部からの前記冷却剤の前記供給を受けるための焼入れリングプレナムと、
前記外側リングと前記内側リングの隣接対向エッジ間に形成された前記焼入れリングプレナムからの出口通路であって、前記ワークピースが前記一個以上の焼入れリングの開放内部を通過するとき、前記焼入れリングプレナムからの前記冷却剤を受け取るとともに、前記焼入れリングプレナムから受け取った前記冷却剤を、円錐状ボリュームで噴出して、前記ワークピースの表面領域に接触させる、前記焼入れリングプレナムからの出口通路と
前記内側リング要素と前記外側リング要素を連結する一個以上の締め具と
を備え、
前記一個以上の焼入れリングの少なくとも一個のための一個以上の締め具を動的に調整して、前記一個以上の焼入れリングの少なくとも一個の前記出口通路を通って噴出された前記冷却剤の円錐状ボリュームの寸法を変化させる締め具制御装置を備える噴射焼入れシステム。
【請求項２】
前記一個以上の焼入れリングのそれぞれへの前記冷却剤の供給質量流量を制御し、前記締め具制御装置と共同して、前記焼入れリングプレナム及び前記出口通路を通る前記冷却剤の焼入れリング質量流量を動的に調整する手段をさらに備える請求項１に記載の噴射焼入れシステム。
【請求項３】
前記冷却剤の前記供給質量流量を制御する前記手段が、一個以上の可変容量形ポンプを備え、前記一個以上の可変容量形ポンプのそれぞれが、前記一個以上の焼入れリングの一個以上に、前記冷却剤を供給する請求項２に記載の噴射焼入れシステム。
【請求項４】
前記冷却剤の前記供給質量流量を制御する手段が、冷却剤貯蔵部から冷却剤マニホールドへ前記冷却剤を供給する定容量形ポンプを備え、前記冷却剤マニホールドが、複数個の冷却剤マニホールド出口を有し、前記複数個の冷却剤マニホールド出口のそれぞれが、前記一個以上の焼入れリングのそれぞれにおける少なくとも一個の外側開口部だけに連結される請求項２に記載の噴射焼入れシステム。
【請求項５】
前記冷却剤の前記供給質量流量を制御する手段が、冷却剤貯蔵部から、前記一個以上の焼入れリングのそれぞれの前記少なくとも一個の外側開口部へ前記冷却剤を供給する均一流れの高圧ポンプを備える請求項２に記載の噴射焼入れシステム。
【請求項６】
噴射焼入れシステムでワークピースを焼入れする方法であり、前記方法が、
前記ワークピースを、一個以上の焼入れリングを備える焼入れリングアセンブリに通過させ、前記一個以上の焼入れリングのそれぞれが、内側リング要素内に少なくとも部分的に挿入された外側リング要素を有し、前記外側リング要素及び前記内側リング要素が、一個以上の締め具により互いに連結されており、前記外側リング要素が、該外側リング要素の内側領域に、少なくとも一個の外側開口部を有し、
前記一個以上の焼入れリングの各一個における前記少なくとも一個の外側開口部に、冷却剤を供給し、前記少なくとも一個の外側開口部が焼入れリングプレナムに連通し、前記焼入れリングプレナムが、前記内側リング要素の内側領域とともに、前記外側リング要素の前記内側領域から形成されて、前記少なくとも一個の外側開口部からの前記冷却剤を受け取るためのものであり、前記焼入れリングプレナムが、該焼入れリングプレナムの出口通路に連通し、前記出口通路が、前記外側リング要素と前記内側リング要素の隣接対向エッジ間に形成されて、前記焼入れリングプレナムからの前記冷却剤を受け取るものであり、前記出口通路が、前記冷却剤の円錐状ボリュームを形成するものであり、
前記ワークピースが、前記一個以上の焼入れリングの開放内部を通過する間に、前記一個以上の焼入れリングのそれぞれの出口通路から、前記冷却剤を円錐状ボリュームで噴出して、前記ワークピースの表面に接触させ、
前記外側リング要素と前記内側リング要素を連結する前記一個以上の締め具を、締め具制御装置で動的に調整して、前記一個以上の焼入れリングの少なくとも一個の前記出口通路を通って噴出された前記冷却剤の円錐状ボリュームの寸法を変化させることを備える方法。
【請求項７】
前記一個以上の焼入れリングが、少なくとも二個の焼入れリングを備え、前記少なくとも二個の焼入れリングのそれぞれの前記出口通路から前記冷却剤を噴出させるステップがさらに、前記焼入れリングアセンブリを通過するワークピースの方向とは反対の上流方向で、前記少なくとも二個の焼入れリングの少なくとも一個から前記冷却剤を噴出させること、及び、前記焼入れリングアセンブリを通過するワークピースの方向に対応する下流方向で、前記少なくとも二個の焼入れリングの残部から前記冷却剤を噴出することを備え、該方法がさらに、少なくとも二個の上流側及び下流側の焼入れリングの前記締め具制御装置で、前記一個以上の締め具を個々に制御して、閉鎖位置と全開位置との間で前記円錐状ボリュームの寸法を変化させること備える請求項６に記載の方法。
【請求項８】
制御された供給質量流量で、前記一個以上の焼入れリングの各一個の前記少なくとも一個の外側開口部へ前記冷却剤を供給すること、並びに、
前記締め具制御装置の前記一個以上の締め具の制御とともに、前記焼入れリングプレナム及び前記出口通路を通る前記冷却剤の前記制御された供給質量流量を動的に調整することをさらに備える請求項６又は７に記載の方法。
【請求項９】
可変容量形ポンプが、前記制御された供給質量流量で、前記一個以上の焼入れリングの各一個の前記少なくとも一個の外側開口部に前記冷却剤を供給して、前記制御された供給質量流量を動的に調整する請求項８に記載の方法。
【請求項１０】
定容量形ポンプが、一個以上のマニホールド出口を有する冷却剤マニホールドから前記冷却剤を供給し、前記一個以上のマニホールド出口の各一個が、前記一個以上の焼入れリングの各一個における前記少なくとも一個の外側開口部だけに連結される請求項８に記載の方法。
【請求項１１】
単一の均一流れの高圧ポンプが、前記冷却剤を、前記一個以上の焼入れリングの各一個の前記少なくとも一個の外側開口部に供給する請求項８に記載の方法。
【請求項１２】
前記一個以上の焼入れリングの前記締め具制御装置で前記一個以上の締め具を制御して、前記円錐状ボリュームの寸法を閉鎖位置へ減少させる間、第二ワークピースの誘導端部を前記ワークピースの牽引端部に隣接させて、第二ワークピースを前記焼入れリングアセンブリに連続的に通過させて、ワークピースの前記誘導端部と前記牽引端部との間のワークピース端部の一端焼入れ効果を最小化することをさらに備える請求項６〜１１のいずれか一項に記載の方法。
【請求項１３】
噴射焼入れシステムでワークピースを焼入れする方法であり、該方法が、
前記ワークピースを、二個以上の焼入れリングを備える焼入れリングアセンブリに通過させ、前記二個以上の焼入れリングのそれぞれが、内側リング要素内に少なくとも部分的に挿入された外側リング要素を有し、前記外側リング要素と前記内側リング要素が、一個以上の締め具により互いに連結されており、前記外側リング要素が、該外側リング要素の内側領域への少なくとも一個の外側開口部を有し、焼入れリングプレナムが、前記内側リング要素の内側領域とともに、前記外側リング要素の前記内側領域から形成されて、前記少なくとも一個の外側開口部から冷却剤を受け取るためのものであり、焼入れリングプレナムからの出口通路が、前記外側リング要素と前記内側リング要素の隣接対向エッジ間に形成されて、前記焼入れリングプレナムから前記冷却剤を受け取るとともに、前記焼入れリングプレナムから受け取った前記冷却剤を、円錐状ボリュームで噴出させて、前記ワークピースの表面領域に接触させるものであり、
一個以上の焼入れリング各一個における前記少なくとも一個の外側開口部へ冷却剤を供給し、前記少なくとも一個の外側開口部が焼入れリングプレナムに連通し、前記焼入れリングプレナムが、前記内側リング要素の内側領域とともに、前記外側リング要素の前記内側領域から形成されて、前記少なくとも一個の外側開口部から前記冷却剤を受け取るためのものであり、前記焼入れリングプレナムが、前記焼入れリングプレナムからの出口通路に連通し、前記出口通路が、前記外側リング要素と前記内側リング要素の隣接対向エッジ間に形成されて、前記焼入れリングプレナムから前記冷却剤を受け取るためのものであり、
前記ワークピースが、前記二個以上の焼入れリングの開放内部を通過する間に、前記一個以上の焼入れリングのそれぞれの出口通路から、前記冷却剤を前記円錐状ボリュームで噴出し、前記ワークピースの表面に接触させ、
前記内側リング要素と前記外側リング要素を連結する前記一個以上の締め具を、締め具制御装置で動的に調整して、前記二個以上の焼入れリングの少なくとも一個の前記出口通路を通って噴出された前記冷却剤の前記円錐状ボリュームの寸法を変化させ、
前記冷却剤を、前記二個以上の焼入れリングの各一個における前記少なくとも一個の外側開口部に、制御された供給質量流量で供給して、前記締め具制御装置での前記一個以上の締め具の制御とともに、前記焼入れリングプレナム及び前記出口通路を通じて前記冷却剤の焼入れリング質量流量を動的に調整することを備える方法。
【請求項１４】
前記焼入れリングアセンブリを通過する前記ワークピースの物質冷却要求に応じて、前記少なくとも二個の焼入れリングの少なくとも二個の隣接する焼入れリング間にインライン距離を動的に調整するステップをさらに備える請求項１３に記載の方法。
【請求項１５】
前記一個以上の焼入れリングを通過する前記ワークピースのワークピース中心軸の位置に応じて、前記一個以上の焼入れリングの少なくとも一個の焼入れリングの焼入れリング中心軸の位置を動的に調整するステップをさらに備える請求項６〜１２のいずれか一項に記載の方法。
【請求項１６】
前記二個の焼入れリングの少なくとも一個の前記内側リング要素又は前記外側リング要素のいずれかの外部に位置する噴射ガードの位置を動的に調整し、前記噴射ガードに隣接する前記少なくとも二個の焼入れリングの一個における前記出口通路から噴出された前記冷却剤がもたらした前記ワークピースからはね返された噴射を、前記焼入れリングアセンブリを通過する前記ワークピースの物質冷却要求に応じて偏向させるステップをさらに備える請求項１３に記載の方法。
【請求項１７】
噴射焼入れ制御ソフトウェアプログラムを実行し、前記ワークピースが、前記噴射焼入れシステムを通過するとき、前記ワークピースの物質冷却要求により、
（１）前記二個以上の焼入れリングの少なくとも二個の間のインライン距離を調整すること、
（２）前記二個以上の焼入れリングの少なくとも一個の焼入れリング中心軸の位置を調整すること、
（３）前記二個以上の焼入れリングの少なくとも一個に関連する少なくとも一個の噴射ガードの位置を調整すること、
（４）前記二個以上の焼入れリングの少なくとも一個の前記出口通路の前記円錐状ボリュームを調整すること、及び／又は、
（５）前記二個以上の焼入れリングの少なくとも一個における冷却剤の質量流量及び冷却剤速度を調整すること
を選択的に又は組み合わせで、前記二個以上の焼入れリングのそれぞれから噴出される前記冷却剤を調整するコンピュータプロセッサをさらに備える請求項１３に記載の方法。
【請求項１８】
前記ワークピースが前記焼入れリングアセンブリを通過するとき、前記ワークピースの温度を検出して、前記ワークピースが前記焼入れリングアセンブリを通過するとき、前記ワークピースの質量冷却要求により、前記二個以上の焼入れリングのそれぞれから噴出される前記冷却剤を調整するステップをさらに備える請求項１７に記載の方法。